(57)【要約】【課題】  諸収差を良好に補正して無限遠における良好な結像性能を確保する。【解決手段】  正の屈折力を有する第１レンズ群と開口絞りと正の屈折力を有する第２レンズ群とが物体側より像側へ順に配置されて構成され、被写体距離が無限遠から近接に変化する際に、第１レンズ群と第２レンズ群は両者の光軸上の間隔が一定の状態で像側から物体側へ移動され、第２レンズ群は少なくとも２枚の負レンズと少なくとも３枚の正レンズとによって構成され、以下の条件式（１）を満足する。（１）０．０１＜ｆ２／ｆ１＜０．２３但し、ｆ１：無限遠合焦時の第１レンズ群の焦点距離ｆ２：無限遠合焦時の第２レンズ群の焦点距離とする。【選択図】  図１
2014074742.tif 000002
【特許請求の範囲】
【請求項１】
正の屈折力を有する第１レンズ群と開口絞りと正の屈折力を有する第２レンズ群とが物体側より像側へ順に配置されて構成され、
被写体距離が無限遠から近接に変化する際に、前記第１レンズ群と前記第２レンズ群は両者の光軸上の間隔が一定の状態で像側から物体側へ移動され、
前記第２レンズ群は少なくとも２枚の負レンズと少なくとも３枚の正レンズとによって構成され、
以下の条件式（１）を満足する
撮像レンズ。
（１）０．０１＜ｆ２／ｆ１＜０．２３
但し、
ｆ１：無限遠合焦時の第１レンズ群の焦点距離
ｆ２：無限遠合焦時の第２レンズ群の焦点距離
とする。
【請求項２】
前記第２レンズ群は、物体側から像側へ順に配置された負の屈折力を有する接合レンズである物体側レンズ群と正の屈折力を有する像側レンズ群とによって構成されている
請求項１に記載の撮像レンズ。
【請求項３】
前記物体側レンズ群は、物体側から像側へ順に配置された負レンズと正レンズによって構成されている
請求項２に記載の撮像レンズ。
【請求項４】
前記像側レンズ群は、２枚の正レンズと１枚の負レンズとによって構成されている
請求項２に記載の撮像レンズ。
【請求項５】
以下の条件式（２）を満足する
請求項２に記載の撮像レンズ。
（２）−６．０＜ｆ２Ｆ／ｆ２＜−１．０
但し、
ｆ２Ｆ：無限遠合焦時の物体側レンズ群の焦点距離
とする。
【請求項６】
前記第２レンズ群に少なくとも１枚の非球面レンズが含まれている
請求項１に記載の撮像レンズ。
【請求項７】
正の屈折力を有する第１レンズ群と開口絞りと正の屈折力を有する第２レンズ群とが物体側より像側へ順に配置されて構成され、
被写体距離が無限遠から近接に変化する際に、前記第１レンズ群と前記第２レンズ群は両者の光軸上の間隔が一定の状態で像側から物体側へ移動され、
前記第２レンズ群は、物体側から像側へ順に配置された負の屈折力を有する接合レンズである物体側レンズ群と正の屈折力を有する像側レンズ群とによって構成され、
前記像側レンズ群は、２枚の正レンズと１枚の負レンズとによって構成されている
撮像レンズ。
【請求項８】
撮像レンズと前記撮像レンズによって形成された光学像を電気的信号に変換する撮像素子とを備え、
前記撮像レンズは、
正の屈折力を有する第１レンズ群と開口絞りと正の屈折力を有する第２レンズ群とが物体側より像側へ順に配置されて構成され、
被写体距離が無限遠から近接に変化する際に、前記第１レンズ群と前記第２レンズ群は両者の光軸上の間隔が一定の状態で像側から物体側へ移動され、
前記第２レンズ群は少なくとも２枚の負レンズと少なくとも３枚の正レンズとによって構成され、
以下の条件式（１）を満足する
撮像装置。
（１）０．０１＜ｆ２／ｆ１＜０．２３
但し、
ｆ１：無限遠合焦時の第１レンズ群の焦点距離
ｆ２：無限遠合焦時の第２レンズ群の焦点距離
とする。
【請求項９】
撮像レンズと前記撮像レンズによって形成された光学像を電気的信号に変換する撮像素子とを備え、
前記撮像レンズは、
正の屈折力を有する第１レンズ群と開口絞りと正の屈折力を有する第２レンズ群とが物体側より像側へ順に配置されて構成され、
被写体距離が無限遠から近接に変化する際に、前記第１レンズ群と前記第２レンズ群は両者の光軸上の間隔が一定の状態で像側から物体側へ移動され、
前記第２レンズ群は、物体側から像側へ順に配置された負の屈折力を有する接合レンズである物体側レンズ群と正の屈折力を有する像側レンズ群とによって構成され、
前記像側レンズ群は、２枚の正レンズと１枚の負レンズによって構成されている
撮像装置。
【発明の詳細な説明】
【技術分野】
【０００１】
本技術は撮像レンズ及び撮像装置の技術分野に関する。詳しくは、全体繰り出し方式を採用し、特に、一眼レフカメラやビデオカメラ等に適した撮像レンズ及びそれを用いた撮像装置の技術分野に関する。
【背景技術】
【０００２】
従来より、スチルカメラやビデオカメラ等の撮像装置に用いられる大口径の標準レンズ（撮像レンズ）として、開口絞りを挟んだ物体側と像側に対称なレンズ群が配置された所謂ダブルガウス型の撮像レンズが数多く提案されている。（例えば、特許文献１及び特許文献２参照）
【特許文献１】特開２０１１−１１３０５２号公報
【特許文献２】特開２０１０−７２３５９号公報
【発明の開示】
【発明が解決しようとする課題】
【０００３】
ところが、特許文献１に記載された撮像レンズの実施例１、実施例４及び実施例５は、開口絞りより像側のレンズ構成において、１枚の負レンズと３枚の正レンズと言う従来の大口径標準レンズに対してレンズを追加して収差の補正を行っているが、球面収差やコマ収差の補正が不十分であると言う問題がある。また、特許文献１に記載された撮像レンズの実施例２、実施例３及び実施例７は、レンズの枚数が上記した従来の大口径標準レンズと同じ枚数であるため、軸外のコマ収差の補正が不十分であると言う問題がある。
【０００４】
一方、特許文献２に記載された撮像レンズの実施例１は、開口絞りより像側のレンズ構成において、２枚の負レンズと３枚の正レンズとによって構成とされているが、サジタル方向のコマ収差の補正が不十分であると言う問題がある。また、特許文献２に記載された撮像レンズの実施例２及び実施例３は、レンズの枚数が上記した従来の大口径標準レンズと同じ枚数であるため、軸外のコマ収差の補正が不十分であると言う問題がある。
【０００５】
そこで、本技術撮像レンズ及び撮像装置は、上記した問題点を克服し、諸収差を良好に補正して無限遠における良好な結像性能を確保することを課題とする。
【課題を解決するための手段】
【０００６】
第１に、撮像レンズは、上記した課題を解決するために、正の屈折力を有する第１レンズ群と開口絞りと正の屈折力を有する第２レンズ群とが物体側より像側へ順に配置されて構成され、被写体距離が無限遠から近接に変化する際に、前記第１レンズ群と前記第２レンズ群は両者の光軸上の間隔が一定の状態で像側から物体側へ移動され、前記第２レンズ群は少なくとも２枚の負レンズと少なくとも３枚の正レンズとによって構成され、以下の条件式（１）を満足するものである。
（１）０．０１＜ｆ２／ｆ１＜０．２３
但し、
ｆ１：無限遠合焦時の第１レンズ群の焦点距離
ｆ２：無限遠合焦時の第２レンズ群の焦点距離
とする。
【０００７】
従って、撮像レンズにあっては、第１レンズ群と第２レンズ群の屈折力が適正化される。
【０００８】
第２に、撮像レンズは、前記第２レンズ群は、物体側から像側へ順に配置された負の屈折力を有する接合レンズである物体側レンズ群と正の屈折力を有する像側レンズ群とによって構成されることが望ましい。
【０００９】
第２レンズ群が、物体側から像側へ順に配置された負の屈折力を有する接合レンズである物体側レンズ群と正の屈折力を有する像側レンズ群とによって構成されることにより、一眼レフカメラに必要な十分なバックフォーカスが確保された上諸収差が良好に補正される。
【００１０】
第３に、撮像レンズは、前記物体側レンズ群は、物体側から像側へ順に配置された負レンズと正レンズによって構成されることが望ましい。
【００１１】
物体側レンズ群が、物体側から像側へ順に配置された負レンズと正レンズによって構成されていることにより、物体側レンズ群が物体側から像側へ順に配置された負レンズと正レンズの接合レンズとして構成され、第１レンズ群から第２レンズ群へ向かう軸上光束が略アフォーカルの状態になる。
【００１２】
第４に、撮像レンズは、前記像側レンズ群は、２枚の正レンズと１枚の負レンズとによって構成されることが望ましい。
【００１３】
物体側レンズ群が負レンズと正レンズによって構成され、像側レンズ群が２枚の正レンズと１枚の負レンズとによって構成されることにより、第２レンズ群に３枚の正レンズが配置される。
【００１４】
第５に、撮像レンズは、以下の条件式（２）を満足することが望ましい。
（２）−６．０＜ｆ２Ｆ／ｆ２＜−１．０
但し、
ｆ２Ｆ：無限遠合焦時の物体側レンズ群の焦点距離
とする。
【００１５】
撮像レンズが条件式（２）を満足することにより、無限遠合焦時の第２レンズ群の焦点距離と物体側レンズ群の焦点距離の比が適正化される。
【００１６】
第６に、撮像レンズは、前記第２レンズ群に少なくとも１枚の非球面レンズが含まれていることが望ましい。
【００１７】
第２レンズ群に少なくとも１枚の非球面レンズが含まれていることにより、非球面レンズによってコマ収差が補正される。
【００１８】
別の撮像レンズは、上記した課題を解決するために、正の屈折力を有する第１レンズ群と開口絞りと正の屈折力を有する第２レンズ群とが物体側より像側へ順に配置されて構成され、被写体距離が無限遠から近接に変化する際に、前記第１レンズ群と前記第２レンズ群は両者の光軸上の間隔が一定の状態で像側から物体側へ移動され、前記第２レンズ群は、物体側から像側へ順に配置された負の屈折力を有する接合レンズである物体側レンズ群と正の屈折力を有する像側レンズ群とによって構成され、前記像側レンズ群は、２枚の正レンズと１枚の負レンズとによって構成されたものである。
【００１９】
従って、別の撮像レンズにあっては、一眼レフカメラに必要な十分なバックフォーカスが確保された上諸収差が良好に補正される。
【００２０】
撮像装置は、上記した課題を解決するために、撮像レンズと前記撮像レンズによって形成された光学像を電気的信号に変換する撮像素子とを備え、前記撮像レンズは、正の屈折力を有する第１レンズ群と開口絞りと正の屈折力を有する第２レンズ群とが物体側より像側へ順に配置されて構成され、被写体距離が無限遠から近接に変化する際に、前記第１レンズ群と前記第２レンズ群は両者の光軸上の間隔が一定の状態で像側から物体側へ移動され、前記第２レンズ群は少なくとも２枚の負レンズと少なくとも３枚の正レンズとによって構成された、以下の条件式（１）を満足するものである。
（１）０．０１＜ｆ２／ｆ１＜０．２３
但し、
ｆ１：無限遠合焦時の第１レンズ群の焦点距離
ｆ２：無限遠合焦時の第２レンズ群の焦点距離
とする。
【００２１】
従って、撮像装置にあっては、撮像レンズにおいて、第１レンズ群と第２レンズ群の屈折力が適正化される。
【００２２】
別の撮像装置は、上記した課題を解決するために、撮像レンズと前記撮像レンズによって形成された光学像を電気的信号に変換する撮像素子とを備え、前記撮像レンズは、正の屈折力を有する第１レンズ群と開口絞りと正の屈折力を有する第２レンズ群とが物体側より像側へ順に配置されて構成され、被写体距離が無限遠から近接に変化する際に、前記第１レンズ群と前記第２レンズ群は両者の光軸上の間隔が一定の状態で像側から物体側へ移動され、前記第２レンズ群は、物体側から像側へ順に配置された負の屈折力を有する接合レンズである物体側レンズ群と正の屈折力を有する像側レンズ群とによって構成され、前記像側レンズ群は、２枚の正レンズと１枚の負レンズによって構成されているものである。
【００２３】
従って、別の撮像装置にあっては、撮像レンズにおいて、一眼レフカメラに必要な十分なバックフォーカスが確保された上諸収差が良好に補正される。
【発明の効果】
【００２４】
本技術撮像レンズは、正の屈折力を有する第１レンズ群と開口絞りと正の屈折力を有する第２レンズ群とが物体側より像側へ順に配置されて構成され、被写体距離が無限遠から近接に変化する際に、前記第１レンズ群と前記第２レンズ群は両者の光軸上の間隔が一定の状態で像側から物体側へ移動され、前記第２レンズ群は少なくとも２枚の負レンズと少なくとも３枚の正レンズとによって構成され、以下の条件式（１）を満足する。
（１）０．０１＜ｆ２／ｆ１＜０．２３
但し、
ｆ１：無限遠合焦時の第１レンズ群の焦点距離
ｆ２：無限遠合焦時の第２レンズ群の焦点距離
とする。
【００２５】
従って、第１レンズ群と第２レンズ群の屈折力が適正化され、コマ収差、球面収差及び像面湾曲を良好に補正することができ、無限遠における良好な結像性能を確保することができる。
【００２６】
請求項２に記載した技術にあっては、前記第２レンズ群は、物体側から像側へ順に配置された負の屈折力を有する接合レンズである物体側レンズ群と正の屈折力を有する像側レンズ群とによって構成されている。
【００２７】
従って、一眼レフカメラに必要な十分なバックフォーカスを確保した上でコマ収差や像面湾曲を良好に補正することができると共に開口絞りに近い物体側レンズ群を接合レンズとして構成することにより高次の球面収差を良好に補正することができる。
【００２８】
請求項３に記載した技術にあっては、前記物体側レンズ群は、物体側から像側へ順に配置された負レンズと正レンズによって構成されている。
【００２９】
物体側レンズ群が、物体側から像側へ順に配置された負レンズと正レンズによって構成されていることにより、物体側レンズ群が物体側から像側へ順に配置された負レンズと正レンズの接合レンズとして構成されるため、第１レンズ群から第２レンズ群へ向かう軸上光束を略アフォーカルの状態にすることができ、感度を抑制することができる。
【００３０】
請求項４に記載した技術にあっては、前記像側レンズ群は、２枚の正レンズと１枚の負レンズとによって構成されている。
【００３１】
従って、球面収差やコマ収差の発生を抑制することができる。
【００３２】
請求項５に記載した技術にあっては、以下の条件式（２）を満足する。
（２）−６．０＜ｆ２Ｆ／ｆ２＜−１．０
但し、
ｆ２Ｆ：無限遠合焦時の物体側レンズ群の焦点距離
とする。
【００３３】
従って、諸収差、特に、球面収差、コマ収差及び非点収差を良好に補正することができると共にレンズの敏感度が低下して製造の容易化を図ることができる。
【００３４】
請求項６に記載した技術にあっては、前記第２レンズ群に少なくとも１枚の非球面レンズが含まれている。
【００３５】
従って、コマ収差を良好に補正することができる。
【００３６】
別の本技術撮像レンズは、正の屈折力を有する第１レンズ群と開口絞りと正の屈折力を有する第２レンズ群とが物体側より像側へ順に配置されて構成され、被写体距離が無限遠から近接に変化する際に、前記第１レンズ群と前記第２レンズ群は両者の光軸上の間隔が一定の状態で像側から物体側へ移動され、前記第２レンズ群は、物体側から像側へ順に配置された負の屈折力を有する接合レンズである物体側レンズ群と正の屈折力を有する像側レンズ群とによって構成され、前記像側レンズ群は、２枚の正レンズと１枚の負レンズとによって構成されている。
【００３７】
従って、一眼レフカメラに必要な十分なバックフォーカスを確保した上でコマ収差や像面湾曲を良好に補正することができると共に開口絞りに近い物体側レンズ群を接合レンズとして構成することにより高次の球面収差を良好に補正することができ、無限遠における良好な結像性能を確保することができる。
【００３８】
本技術撮像装置は、撮像レンズと前記撮像レンズによって形成された光学像を電気的信号に変換する撮像素子とを備え、前記撮像レンズは、正の屈折力を有する第１レンズ群と開口絞りと正の屈折力を有する第２レンズ群とが物体側より像側へ順に配置されて構成され、被写体距離が無限遠から近接に変化する際に、前記第１レンズ群と前記第２レンズ群は両者の光軸上の間隔が一定の状態で像側から物体側へ移動され、前記第２レンズ群は少なくとも２枚の負レンズと少なくとも３枚の正レンズとによって構成され、以下の条件式（１）を満足する。
（１）０．０１＜ｆ２／ｆ１＜０．２３
但し、
ｆ１：無限遠合焦時の第１レンズ群の焦点距離
ｆ２：無限遠合焦時の第２レンズ群の焦点距離
とする。
【００３９】
従って、第１レンズ群と第２レンズ群の屈折力が適正化され、コマ収差、球面収差及び像面湾曲を良好に補正することができ、無限遠における良好な結像性能を確保することができる。
【００４０】
別の本技術撮像装置は、撮像レンズと前記撮像レンズによって形成された光学像を電気的信号に変換する撮像素子とを備え、前記撮像レンズは、正の屈折力を有する第１レンズ群と開口絞りと正の屈折力を有する第２レンズ群とが物体側より像側へ順に配置されて構成され、被写体距離が無限遠から近接に変化する際に、前記第１レンズ群と前記第２レンズ群は両者の光軸上の間隔が一定の状態で像側から物体側へ移動され、前記第２レンズ群は、物体側から像側へ順に配置された負の屈折力を有する接合レンズである物体側レンズ群と正の屈折力を有する像側レンズ群とによって構成され、前記像側レンズ群は、２枚の正レンズと１枚の負レンズによって構成されている。
【００４１】
従って、一眼レフカメラに必要な十分なバックフォーカスを確保した上でコマ収差や像面湾曲を良好に補正することができると共に開口絞りに近い物体側レンズ群を接合レンズとして構成することにより高次の球面収差を良好に補正することができ、無限遠における良好な結像性能を確保することができる。
【発明を実施するための最良の形態】
【００４２】
以下に、本技術撮像レンズ及び撮像装置を実施するための最良の形態について説明する。
【００４３】
［撮像レンズの構成］
本技術撮像レンズは、正の屈折力を有する第１レンズ群と開口絞りと正の屈折力を有する第２レンズ群とが物体側より像側へ順に配置されて構成され、被写体距離が無限遠から近接に変化する際に、第１レンズ群と第２レンズ群は両者の光軸上の間隔が一定の状態で像側から物体側へ移動される。
【００４４】
また、本技術撮像レンズは、第２レンズ群が少なくとも２枚の負レンズと少なくとも３枚の正レンズとによって構成され、以下の条件式（１）を満足する。
（１）０．０１＜ｆ２／ｆ１＜０．２３
但し、
ｆ１：無限遠合焦時の第１レンズ群の焦点距離
ｆ２：無限遠合焦時の第２レンズ群の焦点距離
とする。
【００４５】
条件式（１）は、無限遠合焦時の第１レンズ群の焦点距離に対する無限遠合焦時の第２レンズ群の焦点距離の比を規定している。
【００４６】
条件式（１）の下限を下回ると、第２レンズ群の屈折力が強くなり過ぎ、コマ収差の補正が困難となる。また、第２レンズ群の屈折力が強くなり過ぎることにより、光線の曲りが大きくなり、感度が高くなって高精度な組立技術が必要となり、レンズの組立の困難性が増加してしまう。
【００４７】
逆に、条件式（１）の上限を上回ると、第１レンズ群の屈折力が強くなり過ぎ、球面収差の補正が困難となる。また、第２レンズ群の屈折力が相対的に弱くなるため、像面湾曲の補正も困難となってしまう。
【００４８】
従って、撮像レンズが条件式（１）を満足することにより、第１レンズ群と第２レンズ群の屈折力が適正化され、コマ収差、球面収差及び像面湾曲を良好に補正することができると共に組立の容易化を図ることができる。
【００４９】
尚、撮像レンズにおいては、以下の条件式（１）′を満足することがより好ましい。
（１）′０．０５＜ｆ２／ｆ１＜０．２３
撮像レンズが条件式（１）′を満足することにより、第１レンズ群と第２レンズ群の屈折力が一層適正化され、コマ収差、球面収差及び像面湾曲を一層良好に補正することができると共に一層の組立の容易化を図ることができる。
【００５０】
本技術の一実施形態による撮像レンズにあっては、第２レンズ群は、物体側から像側へ順に配置された負の屈折力を有する接合レンズである物体側レンズ群と正の屈折力を有する像側レンズ群とによって構成されていることが望ましい。
【００５１】
第２レンズ群が、物体側から像側へ順に配置された負の屈折力を有する接合レンズである物体側レンズ群と正の屈折力を有する像側レンズ群とによって構成されることにより、一眼レフカメラに必要な十分なバックフォーカスを確保した上でコマ収差や像面湾曲を良好に補正することができる。
【００５２】
また、開口絞りに近い物体側レンズ群を接合レンズとして構成することにより、高次の球面収差を良好に補正することができる。
【００５３】
本技術の一実施形態による撮像レンズにあっては、物体側レンズ群は、物体側から像側へ順に配置された負レンズと正レンズによって構成されていることが望ましい。
【００５４】
物体側レンズ群が、物体側から像側へ順に配置された負レンズと正レンズによって構成されていることにより、物体側レンズ群が物体側から像側へ順に配置された負レンズと正レンズの接合レンズとして構成されるため、第１レンズ群から第２レンズ群へ向かう軸上光束を略アフォーカルの状態にすることができ、感度を抑制することができる。
【００５５】
本技術の一実施形態による撮像レンズにあっては、像側レンズ群は、２枚の正レンズと１枚の負レンズによって構成されていることが望ましい。
【００５６】
物体側レンズ群が負レンズと正レンズによって構成され、像側レンズ群が２枚の正レンズと１枚の負レンズとによって構成されることにより、第２レンズ群に３枚の正レンズが配置され、球面収差やコマ収差の発生を抑制することができる。
【００５７】
本技術の一実施形態による撮像レンズにあっては、以下の条件式（２）を満足することが望ましい。
（２）−６．０＜ｆ２Ｆ／ｆ２＜−１．０
但し、
ｆ２Ｆ：無限遠合焦時の物体側レンズ群の焦点距離
とする。
【００５８】
条件式（２）は、無限遠合焦時の第２レンズ群の焦点距離に対する無限遠合焦時の物体側レンズ群の焦点距離の比を規定している。
【００５９】
条件式（２）の下限を下回ると、物体側レンズ群の屈折力が弱くなり過ぎ、本来、負の屈折力を有する接合レンズ（物体側レンズ群）によって補正する高次の球面収差が補正しきれなくなってしまう。
【００６０】
逆に、条件式（２）の上限を上回ると、物体側レンズ群の屈折力が強くなり過ぎ、一眼レフカメラに必要なバックフォーカスを確保しようとすると、像側レンズ群の屈折力を強くしなければならず、コマ収差や非点収差の補正が困難となる。また、レンズの敏感度が高くなり製造の困難性が高くなってしまう。
【００６１】
従って、撮像レンズが条件式（２）を満足することにより、諸収差、特に、球面収差、コマ収差及び非点収差を良好に補正することができると共にレンズの敏感度が低下して製造の容易化を図ることができる。
【００６２】
尚、撮像レンズにおいては、以下の条件式（２）′を満足することがより好ましい。
（２）′−５．５＜ｆ２Ｆ／ｆ２＜−１．５
撮像レンズが条件式（２）′を満足することにより、諸収差を一層良好に補正することができると共にレンズの敏感度が一層低下して一層の製造の容易化を図ることができる。
【００６３】
本技術の一実施形態による撮像レンズにあっては、第２レンズ群に少なくとも１枚の非球面レンズが含まれていることが望ましい。
【００６４】
第２レンズ群に少なくとも１枚の非球面レンズが含まれていることにより、コマ収差を良好に補正することができる。
【００６５】
別の本技術撮像レンズは、正の屈折力を有する第１レンズ群と開口絞りと正の屈折力を有する第２レンズ群とが物体側より像側へ順に配置されて構成され、被写体距離が無限遠から近接に変化する際に、第１レンズ群と第２レンズ群は両者の光軸上の間隔が一定の状態で像側から物体側へ移動される。
【００６６】
また、別の本技術撮像レンズは、第２レンズ群は、物体側から像側へ順に配置された負の屈折力を有する接合レンズである物体側レンズ群と正の屈折力を有する像側レンズ群とによって構成され、像側レンズ群は、２枚の正レンズと１枚の負レンズとによって構成されている。
【００６７】
第２レンズ群が、物体側から像側へ順に配置された負の屈折力を有する接合レンズである物体側レンズ群と正の屈折力を有する像側レンズ群とによって構成されることにより、一眼レフカメラに必要な十分なバックフォーカスを確保した上でコマ収差や像面湾曲を良好に補正することができる。
【００６８】
また、開口絞りに近い物体側レンズ群を接合レンズとして構成することにより、高次の球面収差を良好に補正することができる。
【００６９】
［撮像レンズの数値実施例］
以下に、本技術撮像レンズの具体的な実施の形態及び実施の形態に具体的な数値を適用した数値実施例について、図面及び表を参照して説明する。
【００７０】
尚、以下の各表や説明において示した記号の意味等については、下記に示す通りである。
【００７１】
「面番号」は物体側から像側へ数えた第ｉ番目の面の面番号、「Ｒ」は第ｉ番目の面の近軸曲率半径、「Ｄ」は第ｉ番目の面と第ｉ＋１番目の面の間の軸上面間隔（レンズの中心の厚み又は空気間隔）、「Ｎｄ」は第ｉ番目の面から始まるレンズ等のｄ線（λ＝５８７．６ｎｍ）における屈折率、「νｄ」は第ｉ番目の面から始まるレンズ等のｄ線におけるアッベ数を示す。
【００７２】
「面番号」に関し「ＡＳＰ」は当該面が非球面であることを示し、「Ｒ」に関し「ｉｎｆｉｎｉｔｙ」は当該面が平面であることを示す。
【００７３】
「κ」は円錐定数（コーニック定数）、「Ａ４」、「Ａ６」、「Ａ８」、「Ａ１０」はそれぞれ４次、６次、８次、１０次の非球面係数を示す。
【００７４】
「ｆ」は焦点距離、「Ｆｎｏ」はＦナンバー、「ＢＦ」はバックフォーカス、「ω」は半画角を示す。
【００７５】
尚、以下の非球面係数を示す各表において、「Ｅ−ｎ」は１０を底とする指数表現、即ち、「１０のマイナスｎ乗」を表しており、例えば、「０．１２３４５Ｅ−０５」は「０．１２３４５×（１０のマイナス五乗）」を表している。
【００７６】
各実施の形態において用いられた撮像レンズには、レンズ面が非球面に形成されたものがある。非球面形状は、「ｘ」をレンズ面の頂点からの光軸方向における距離（サグ量）、「ｙ」を光軸方向に垂直な方向における高さ（像高）、「ｃ」をレンズの頂点における近軸曲率（曲率半径の逆数）、「κ」を円錐定数（コーニック定数）、「Ａｉ」を各次の非球面係数とすると、以下の数式１によって定義される。
【００７７】
【数１】
2014074742.tif 000003
【００７８】
以下に示す第１の実施の形態乃至第６の実施の形態における撮像レンズ１乃至撮像レンズ６は、正の屈折力を有する第１レンズ群Ｇ１と開口絞りＳと正の屈折力を有する第２レンズ群Ｇ２とが物体側より像側へ順に配置されて構成されている。
【００７９】
＜第１の実施の形態＞
図１は、本技術の第１の実施の形態における撮像レンズ１のレンズ構成を示している。
【００８０】
撮像レンズ１は、被写体距離が無限遠から近接に変化する際に、第１レンズ群Ｇ１と第２レンズ群Ｇ２は両者の光軸上の間隔が一定の状態で像側から物体側へ移動される。
【００８１】
第１レンズ群Ｇ１は、両凸形状の正の屈折力を有する第１レンズＬ１と、像側に凹面を向けたメニスカス形状の正の屈折力を有する第２レンズＬ２と、像側に凹面を向けたメニスカス形状の負の屈折力を有する第３レンズＬ３とが物体側から像側へ順に配置されて構成されている。
【００８２】
第２レンズ群Ｇ２は、物体側レンズ群２ＧＦと像側レンズ群２ＧＲが物体側から像側へ順に配置されて構成されている。
【００８３】
物体側レンズ群２ＧＦは負の屈折力を有する。物体側レンズ群２ＧＦは、両凹形状の負の屈折力を有する第４レンズＬ４と第４レンズＬ４の像側に配置された両凸形状の正の屈折力を有する第５レンズＬ５とが接合された接合レンズによって構成されている。
【００８４】
像側レンズ群２ＧＲは正の屈折力を有する。像側レンズ群２ＧＲは、両凸形状の正の屈折力を有する第６レンズＬ６と第６レンズＬ６の像側に配置された両凹形状の負の屈折力を有する第７レンズＬ７とが接合された接合レンズと、両凸形状の正の屈折力を有する第８レンズＬ８とが物体側から像側へ順に配置されて構成されている。
【００８５】
第１レンズ群Ｇ１と第２レンズ群Ｇ２の間には開口絞りＳが配置されている。開口絞りＳは被写体距離が無限遠から近接に変化する際に第２レンズ群Ｇ２と一体になって像側から物体側へ移動される。
【００８６】
第２レンズ群Ｇ２の像側には像面ＩＰが配置されている。
【００８７】
表１に、第１の実施の形態における撮像レンズ１に具体的数値を適用した数値実施例１のレンズデーターを示す。
【００８８】
【表１】
2014074742.tif 000004
【００８９】
撮像レンズ１において、第１レンズ群Ｇ１の第１レンズＬ１の物体側の面（第１面）と第２レンズ群Ｇ２の第８レンズＬ８の像側の面（第１５面）とは非球面に形成されている。数値実施例１における非球面の４次、６次、８次、１０次の非球面係数Ａ４、Ａ６、Ａ８、Ａ１０を円錐定数κと共に表２に示す。
【００９０】
【表２】
2014074742.tif 000005
【００９１】
数値実施例１における無限遠合焦時のレンズ全系の焦点距離ｆ、ＦナンバーＦｎｏ、バックフォーカスＢＦ及び半画角ωを表３に示す。
【００９２】
【表３】
2014074742.tif 000006
【００９３】
図２に数値実施例１の無限遠合焦状態における球面収差、非点収差、歪曲収差及び横収差を示す。
【００９４】
図２には、球面収差においてｄ線（５８７．５６ｎｍ）の値を示し、非点収差において実線はｄ線のサジタル像面、破線はｄ線のメリディオナル像面の値を示し、歪曲収差においてｄ線の値を示し、横収差においてｄ線の値を示す。横収差においてｙは像高を示し、ωは半画角を示す。
【００９５】
各収差図から、数値実施例１は諸収差が良好に補正され、優れた結像性能を有していることが明らかである。
【００９６】
＜第２の実施の形態＞
図３は、本技術の第２の実施の形態における撮像レンズ２のレンズ構成を示している。
【００９７】
撮像レンズ２は、被写体距離が無限遠から近接に変化する際に、第１レンズ群Ｇ１と第２レンズ群Ｇ２は両者の光軸上の間隔が一定の状態で像側から物体側へ移動される。
【００９８】
第１レンズ群Ｇ１は、両凸形状の正の屈折力を有する第１レンズＬ１と、像側に凹面を向けたメニスカス形状の正の屈折力を有する第２レンズＬ２と、像側に凹面を向けたメニスカス形状の負の屈折力を有する第３レンズＬ３とが物体側から像側へ順に配置されて構成されている。
【００９９】
第２レンズ群Ｇ２は、物体側レンズ群２ＧＦと像側レンズ群２ＧＲが物体側から像側へ順に配置されて構成されている。
【０１００】
物体側レンズ群２ＧＦは負の屈折力を有する。物体側レンズ群２ＧＦは、両凹形状の負の屈折力を有する第４レンズＬ４と第４レンズＬ４の像側に配置された両凸形状の正の屈折力を有する第５レンズＬ５とが接合された接合レンズによって構成されている。
【０１０１】
像側レンズ群２ＧＲは正の屈折力を有する。像側レンズ群２ＧＲは、両凸形状の正の屈折力を有する第６レンズＬ６と、像側に凸面を向けたメニスカス形状の正の屈折力を有する第７レンズＬ７と第７レンズの像側に配置された像側に凸面を向けたメニスカス形状の負の屈折力を有する第８レンズＬ８とが接合された接合レンズとが物体側から像側へ順に配置されて構成されている。
【０１０２】
第１レンズ群Ｇ１と第２レンズ群Ｇ２の間には開口絞りＳが配置されている。開口絞りＳは被写体距離が無限遠から近接に変化する際に第２レンズ群Ｇ２と一体になって像側から物体側へ移動される。
【０１０３】
第２レンズ群Ｇ２の像側には像面ＩＰが配置されている。
【０１０４】
表４に、第２の実施の形態における撮像レンズ２に具体的数値を適用した数値実施例２のレンズデーターを示す。
【０１０５】
【表４】
2014074742.tif 000007
【０１０６】
撮像レンズ２において、第１レンズ群Ｇ１の第２レンズＬ２の像側の面（第４面）と第２レンズ群Ｇ２の第６レンズＬ６の像側の面（第１２面）とは非球面に形成されている。数値実施例２における非球面の４次、６次、８次、１０次の非球面係数Ａ４、Ａ６、Ａ８、Ａ１０を円錐定数κと共に表５に示す。
【０１０７】
【表５】
2014074742.tif 000008
【０１０８】
数値実施例２における無限遠合焦時のレンズ全系の焦点距離ｆ、ＦナンバーＦｎｏ、バックフォーカスＢＦ及び半画角ωを表６に示す。
【０１０９】
【表６】
2014074742.tif 000009
【０１１０】
図４に数値実施例２の無限遠合焦状態における球面収差、非点収差、歪曲収差及び横収差を示す。
【０１１１】
図４には、球面収差においてｄ線（５８７．５６ｎｍ）の値を示し、非点収差において実線はｄ線のサジタル像面、破線はｄ線のメリディオナル像面の値を示し、歪曲収差においてｄ線の値を示し、横収差においてｄ線の値を示す。横収差においてｙは像高を示し、ωは半画角を示す。
【０１１２】
各収差図から、数値実施例２は諸収差が良好に補正され、優れた結像性能を有していることが明らかである。
【０１１３】
＜第３の実施の形態＞
図５は、本技術の第３の実施の形態における撮像レンズ３のレンズ構成を示している。
【０１１４】
撮像レンズ３は、被写体距離が無限遠から近接に変化する際に、第１レンズ群Ｇ１と第２レンズ群Ｇ２は両者の光軸上の間隔が一定の状態で像側から物体側へ移動される。
【０１１５】
第１レンズ群Ｇ１は、物体側に凸面を向けたメニスカス形状の正の屈折力を有する第１レンズＬ１と、像側に凹面を向けたメニスカス形状の正の屈折力を有する第２レンズＬ２と、像側に凹面を向けたメニスカス形状の負の屈折力を有する第３レンズＬ３とが物体側から像側へ順に配置されて構成されている。
【０１１６】
第２レンズ群Ｇ２は、物体側レンズ群２ＧＦと像側レンズ群２ＧＲが物体側から像側へ順に配置されて構成されている。
【０１１７】
物体側レンズ群２ＧＦは負の屈折力を有する。物体側レンズ群２ＧＦは、両凹形状の負の屈折力を有する第４レンズＬ４と第４レンズＬ４の像側に配置された両凸形状の正の屈折力を有する第５レンズＬ５とが接合された接合レンズによって構成されている。
【０１１８】
像側レンズ群２ＧＲは正の屈折力を有する。像側レンズ群２ＧＲは、両凸形状の正の屈折力を有する第６レンズＬ６と第６レンズＬ６の像側に配置された両凹形状の負の屈折力を有する第７レンズＬ７とが接合された接合レンズと、両凸形状の正の屈折力を有する第８レンズＬ８とが物体側から像側へ順に配置されて構成されている。
【０１１９】
第１レンズ群Ｇ１と第２レンズ群Ｇ２の間には開口絞りＳが配置されている。開口絞りＳは被写体距離が無限遠から近接に変化する際に第２レンズ群Ｇ２と一体になって像側から物体側へ移動される。
【０１２０】
第２レンズ群Ｇ２の像側には像面ＩＰが配置されている。
【０１２１】
表７に、第３の実施の形態における撮像レンズ３に具体的数値を適用した数値実施例３のレンズデーターを示す。
【０１２２】
【表７】
2014074742.tif 000010
【０１２３】
撮像レンズ３において、第２レンズ群Ｇ２の第８レンズＬ８の像側の面（第１５面）は非球面に形成されている。数値実施例３における非球面の４次、６次、８次、１０次の非球面係数Ａ４、Ａ６、Ａ８、Ａ１０を円錐定数κと共に表８に示す。
【０１２４】
【表８】
2014074742.tif 000011
【０１２５】
数値実施例３における無限遠合焦時のレンズ全系の焦点距離ｆ、ＦナンバーＦｎｏ、バックフォーカスＢＦ及び半画角ωを表９に示す。
【０１２６】
【表９】
2014074742.tif 000012
【０１２７】
図６に数値実施例３の無限遠合焦状態における球面収差、非点収差、歪曲収差及び横収差を示す。
【０１２８】
図６には、球面収差においてｄ線（５８７．５６ｎｍ）の値を示し、非点収差において実線はｄ線のサジタル像面、破線はｄ線のメリディオナル像面の値を示し、歪曲収差においてｄ線の値を示し、横収差においてｄ線の値を示す。横収差においてｙは像高を示し、ωは半画角を示す
【０１２９】
各収差図から、数値実施例３は諸収差が良好に補正され、優れた結像性能を有していることが明らかである。
【０１３０】
＜第４の実施の形態＞
図７は、本技術の第４の実施の形態における撮像レンズ４のレンズ構成を示している。
【０１３１】
撮像レンズ４は、被写体距離が無限遠から近接に変化する際に、第１レンズ群Ｇ１と第２レンズ群Ｇ２は両者の光軸上の間隔が一定の状態で像側から物体側へ移動される。
【０１３２】
第１レンズ群Ｇ１は、両凸形状の正の屈折力を有する第１レンズＬ１と、像側に凹面を向けたメニスカス形状の正の屈折力を有する第２レンズＬ２と、像側に凹面を向けたメニスカス形状の負の屈折力を有する第３レンズＬ３とが物体側から像側へ順に配置されて構成されている。
【０１３３】
第２レンズ群Ｇ２は、物体側レンズ群２ＧＦと像側レンズ群２ＧＲが物体側から像側へ順に配置されて構成されている。
【０１３４】
物体側レンズ群２ＧＦは負の屈折力を有する。物体側レンズ群２ＧＦは、両凹形状の負の屈折力を有する第４レンズＬ４と第４レンズＬ４の像側に配置された両凸形状の正の屈折力を有する第５レンズＬ５とが接合された接合レンズによって構成されている。
【０１３５】
像側レンズ群２ＧＲは正の屈折力を有する。像側レンズ群２ＧＲは、両凸形状の正の屈折力を有する第６レンズＬ６と、像側に凸面を向けたメニスカス形状の正の屈折力を有する第７レンズＬ７と第７レンズの像側に配置された像側に凸面を向けたメニスカス形状の負の屈折力を有する第８レンズＬ８とが接合された接合レンズとが物体側から像側へ順に配置されて構成されている。
【０１３６】
第１レンズ群Ｇ１と第２レンズ群Ｇ２の間には開口絞りＳが配置されている。開口絞りＳは被写体距離が無限遠から近接に変化する際に第２レンズ群Ｇ２と一体になって像側から物体側へ移動される。
【０１３７】
第２レンズ群Ｇ２の像側には像面ＩＰが配置されている。
【０１３８】
表１０に、第４の実施の形態における撮像レンズ４に具体的数値を適用した数値実施例４のレンズデーターを示す。
【０１３９】
【表１０】
2014074742.tif 000013
【０１４０】
撮像レンズ４において、第１レンズ群Ｇ１の第３レンズＬ３の像側の面（第６面）と第２レンズ群Ｇ２の第６レンズＬ６の像側の面（第１２面）とは非球面に形成されている。数値実施例４における非球面の４次、６次、８次、１０次の非球面係数Ａ４、Ａ６、Ａ８、Ａ１０を円錐定数κと共に表１１に示す。
【０１４１】
【表１１】
2014074742.tif 000014
【０１４２】
数値実施例４における無限遠合焦時のレンズ全系の焦点距離ｆ、ＦナンバーＦｎｏ、バックフォーカスＢＦ及び半画角ωを表１２に示す。
【０１４３】
【表１２】
2014074742.tif 000015
【０１４４】
図８に数値実施例４の無限遠合焦状態における球面収差、非点収差、歪曲収差及び横収差を示す。
【０１４５】
図８には、球面収差においてｄ線（５８７．５６ｎｍ）の値を示し、非点収差において実線はｄ線のサジタル像面、破線はｄ線のメリディオナル像面の値を示し、歪曲収差においてｄ線の値を示し、横収差においてｄ線の値を示す。横収差においてｙは像高を示し、ωは半画角を示す。
【０１４６】
各収差図から、数値実施例４は諸収差が良好に補正され、優れた結像性能を有していることが明らかである。
【０１４７】
＜第５の実施の形態＞
図９は、本技術の第５の実施の形態における撮像レンズ５のレンズ構成を示している。
【０１４８】
撮像レンズ５は、被写体距離が無限遠から近接に変化する際に、第１レンズ群Ｇ１と第２レンズ群Ｇ２は両者の光軸上の間隔が一定の状態で像側から物体側へ移動される。
【０１４９】
第１レンズ群Ｇ１は、物体側に凸面を向けたメニスカス形状の正の屈折力を有する第１レンズＬ１と、像側に凹面を向けたメニスカス形状の正の屈折力を有する第２レンズＬ２と、像側に凹面を向けたメニスカス形状の負の屈折力を有する第３レンズＬ３とが物体側から像側へ順に配置されて構成されている。
【０１５０】
第２レンズ群Ｇ２は、物体側レンズ群２ＧＦと像側レンズ群２ＧＲが物体側から像側へ順に配置されて構成されている。
【０１５１】
物体側レンズ群２ＧＦは負の屈折力を有する。物体側レンズ群２ＧＦは、両凹形状の負の屈折力を有する第４レンズＬ４と第４レンズＬ４の像側に配置された両凸形状の正の屈折力を有する第５レンズＬ５とが接合された接合レンズによって構成されている。
【０１５２】
像側レンズ群２ＧＲは正の屈折力を有する。像側レンズ群２ＧＲは、両凸形状の正の屈折力を有する第６レンズＬ６と第６レンズＬ６の像側に配置された両凹形状の負の屈折力を有する第７レンズＬ７とが接合された接合レンズと、両凸形状の正の屈折力を有する第８レンズＬ８とが物体側から像側へ順に配置されて構成されている。
【０１５３】
第１レンズ群Ｇ１と第２レンズ群Ｇ２の間には開口絞りＳが配置されている。開口絞りＳは被写体距離が無限遠から近接に変化する際に第２レンズ群Ｇ２と一体になって像側から物体側へ移動される。
【０１５４】
第２レンズ群Ｇ２の像側には像面ＩＰが配置されている。
【０１５５】
表１３に、第５の実施の形態における撮像レンズ５に具体的数値を適用した数値実施例５のレンズデーターを示す。
【０１５６】
【表１３】
2014074742.tif 000016
【０１５７】
撮像レンズ５において、第２レンズ群Ｇ２の第８レンズＬ８の像側の面（第１５面）は非球面に形成されている。数値実施例５における非球面の４次、６次、８次、１０次の非球面係数Ａ４、Ａ６、Ａ８、Ａ１０を円錐定数κと共に表１４に示す。
【０１５８】
【表１４】
2014074742.tif 000017
【０１５９】
数値実施例５における無限遠合焦時のレンズ全系の焦点距離ｆ、ＦナンバーＦｎｏ、バックフォーカスＢＦ及び半画角ωを表１５に示す。
【０１６０】
【表１５】
2014074742.tif 000018
【０１６１】
図１０に数値実施例５の無限遠合焦状態における球面収差、非点収差、歪曲収差及び横収差を示す。
【０１６２】
図１０には、球面収差においてｄ線（５８７．５６ｎｍ）の値を示し、非点収差において実線はｄ線のサジタル像面、破線はｄ線のメリディオナル像面の値を示し、歪曲収差においてｄ線の値を示し、横収差においてｄ線の値を示す。横収差においてｙは像高を示し、ωは半画角を示す。
【０１６３】
各収差図から、数値実施例５は諸収差が良好に補正され、優れた結像性能を有していることが明らかである。
【０１６４】
＜第６の実施の形態＞
図１１は、本技術の第６の実施の形態における撮像レンズ６のレンズ構成を示している。
【０１６５】
撮像レンズ６は、被写体距離が無限遠から近接に変化する際に、第１レンズ群Ｇ１と第２レンズ群Ｇ２は両者の光軸上の間隔が一定の状態で像側から物体側へ移動される。
【０１６６】
第１レンズ群Ｇ１は、両凸形状の正の屈折力を有する第１レンズＬ１と、像側に凹面を向けたメニスカス形状の正の屈折力を有する第２レンズＬ２と、像側に凹面を向けたメニスカス形状の負の屈折力を有する第３レンズＬ３とが物体側から像側へ順に配置されて構成されている。
【０１６７】
第２レンズ群Ｇ２は、物体側レンズ群２ＧＦと像側レンズ群２ＧＲが物体側から像側へ順に配置されて構成されている。
【０１６８】
物体側レンズ群２ＧＦは負の屈折力を有する。物体側レンズ群２ＧＦは、両凹形状の負の屈折力を有する第４レンズＬ４と第４レンズＬ４の像側に配置された両凸形状の正の屈折力を有する第５レンズＬ５とが接合された接合レンズによって構成されている。
【０１６９】
像側レンズ群２ＧＲは正の屈折力を有する。像側レンズ群２ＧＲは、像側に凸面を向けたメニスカス形状の正の屈折力を有する第６レンズＬ６と、物体側に凸面を向けたメニスカス形状の負の屈折力を有する第７レンズＬ７と、両凸形状の正の屈折力を有する第８レンズＬ８とが物体側から像側へ順に配置されて構成されている。
【０１７０】
第１レンズ群Ｇ１と第２レンズ群Ｇ２の間には開口絞りＳが配置されている。開口絞りＳは被写体距離が無限遠から近接に変化する際に第２レンズ群Ｇ２と一体になって像側から物体側へ移動される。
【０１７１】
第２レンズ群Ｇ２の像側には像面ＩＰが配置されている。
【０１７２】
表１６に、第６の実施の形態における撮像レンズ６に具体的数値を適用した数値実施例６のレンズデーターを示す。
【０１７３】
【表１６】
2014074742.tif 000019
【０１７４】
撮像レンズ６において、第２レンズ群Ｇ２の第８レンズＬ８の像側の面（第１６面）は非球面に形成されている。数値実施例６における非球面の４次、６次、８次、１０次の非球面係数Ａ４、Ａ６、Ａ８、Ａ１０を円錐定数κと共に表１７に示す。
【０１７５】
【表１７】
2014074742.tif 000020
【０１７６】
数値実施例６における無限遠合焦時のレンズ全系の焦点距離ｆ、ＦナンバーＦｎｏ、バックフォーカスＢＦ及び半画角ωを表１８に示す。
【０１７７】
【表１８】
2014074742.tif 000021
【０１７８】
図１２に数値実施例６の無限遠合焦状態における球面収差、非点収差、歪曲収差及び横収差を示す。
【０１７９】
図１２には、球面収差においてｄ線（５８７．５６ｎｍ）の値を示し、非点収差において実線はｄ線のサジタル像面、破線はｄ線のメリディオナル像面の値を示し、歪曲収差においてｄ線の値を示し、横収差においてｄ線の値を示す。横収差においてｙは像高を示し、ωは半画角を示す。
【０１８０】
各収差図から、数値実施例６は諸収差が良好に補正され、優れた結像性能を有していることが明らかである。
【０１８１】
［撮像レンズの条件式の各値］
以下に、本技術撮像レンズの条件式の各値について説明する。
【０１８２】
表１９に撮像レンズ１乃至撮像レンズ６の数値実施例１乃至数値実施例６における条件式（１）及び条件式（２）の各値を示す。
【０１８３】
【表１９】
2014074742.tif 000022
【０１８４】
表１９から明らかなように、撮像レンズ１乃至撮像レンズ６は条件式（１）及び条件式（２）を満足するようにされている。
【０１８５】
［撮像装置の構成］
本技術撮像装置は、撮像レンズが、正の屈折力を有する第１レンズ群と開口絞りと正の屈折力を有する第２レンズ群とが物体側より像側へ順に配置されて構成され、被写体距離が無限遠から近接に変化する際に、第１レンズ群と第２レンズ群は両者の光軸上の間隔が一定の状態で像側から物体側へ移動される。
【０１８６】
また、本技術撮像装置は、撮像レンズが、第２レンズ群が少なくとも２枚の負レンズと少なくとも３枚の正レンズとによって構成され、以下の条件式（１）を満足する。
（１）０．０１＜ｆ２／ｆ１＜０．２３
但し、
ｆ１：無限遠合焦時の第１レンズ群の焦点距離
ｆ２：無限遠合焦時の第２レンズ群の焦点距離
とする。
【０１８７】
条件式（１）は、無限遠合焦時の第１レンズ群の焦点距離に対する無限遠合焦時の第２レンズ群の焦点距離の比を規定している。
【０１８８】
条件式（１）の下限を下回ると、第２レンズ群の屈折力が強くなり過ぎ、コマ収差の補正が困難となる。また、第２レンズ群の屈折力が強くなり過ぎることにより、光線の曲りが大きくなり、感度が高くなって高精度な組立技術が必要となり、レンズの組立の困難性が増加してしまう。
【０１８９】
逆に、条件式（１）の上限を上回ると、第１レンズ群の屈折力が強くなり過ぎ、球面収差の補正が困難となる。また、第２レンズ群の屈折力が相対的に弱くなるため、像面湾曲の補正も困難となってしまう。
【０１９０】
従って、撮像装置は、撮像レンズが条件式（１）を満足することにより、第１レンズ群と第２レンズ群の屈折力が適正化され、コマ収差、球面収差及び像面湾曲を良好に補正することができると共に組立の容易化を図ることができる。
【０１９１】
尚、撮像レンズにおいては、以下の条件式（１）′を満足することがより好ましい。
（１）′０．０５＜ｆ２／ｆ１＜０．２３
撮像レンズが条件式（１）′を満足することにより、第１レンズ群と第２レンズ群の屈折力が一層適正化され、コマ収差、球面収差及び像面湾曲を一層良好に補正することができると共に一層の組立の容易化を図ることができる。
【０１９２】
別の本技術撮像装置は、撮像レンズが、正の屈折力を有する第１レンズ群と開口絞りと正の屈折力を有する第２レンズ群とが物体側より像側へ順に配置されて構成され、被写体距離が無限遠から近接に変化する際に、第１レンズ群と第２レンズ群は両者の光軸上の間隔が一定の状態で像側から物体側へ移動される。
【０１９３】
また、別の本技術撮像装置は、撮像レンズが、第２レンズ群は、物体側から像側へ順に配置された負の屈折力を有する接合レンズである物体側レンズ群と正の屈折力を有する像側レンズ群とによって構成され、像側レンズ群は、２枚の正レンズと１枚の負レンズによって構成されている。
【０１９４】
第２レンズ群が、物体側から像側へ順に配置された負の屈折力を有する接合レンズである物体側レンズ群と正の屈折力を有する像側レンズ群とによって構成されることにより、一眼レフカメラに必要な十分なバックフォーカスを確保した上でコマ収差や像面湾曲を良好に補正することができる。
【０１９５】
また、開口絞りに近い物体側レンズ群を接合レンズとして構成することにより、高次の球面収差を良好に補正することができる。
【０１９６】
［撮像装置の一実施形態］
図１３に、本技術撮像装置の一実施形態による交換レンズ式のデジタルカメラのブロック図を示す。
【０１９７】
撮像装置（デジタルカメラ）１００は、撮像機能を担うカメラブロック１０と、撮影された画像信号のアナログ−デジタル変換等の信号処理を行うカメラ信号処理部２０と、画像信号の記録再生処理を行う画像処理部３０とを有している。また、撮像装置１００は、撮影された画像等を表示するＬＣＤ（Liquid Crystal Display）等の表示部４０と、メモリーカード１０００への画像信号の書込及び読出を行うＲ／Ｗ（リーダ／ライタ）５０と、撮像装置の全体を制御するＣＰＵ（Central Processing Unit）６０と、ユーザーによって所要の操作が行われる各種のスイッチ等から成る入力部７０と、カメラブロック１０に配置されたレンズの駆動を制御するレンズ駆動制御部８０とを備えている。
【０１９８】
カメラブロック１０は、例えば、交換レンズに備えられ、撮像レンズ１１（本技術が適用される撮像レンズ１乃至撮像レンズ６）を含む光学系や、ＣＣＤ（Charge Coupled Device）やＣＭＯＳ（Complementary Metal Oxide Semiconductor）等の撮像素子１２等とによって構成されている。
【０１９９】
カメラ信号処理部２０は、撮像素子１２からの出力信号に対するデジタル信号への変換、ノイズ除去、画質補正、輝度・色差信号への変換等の各種の信号処理を行う。
【０２００】
画像処理部３０は、所定の画像データーフォーマットに基づく画像信号の圧縮符号化・伸張復号化処理や解像度等のデーター仕様の変換処理等を行う。
【０２０１】
表示部４０はユーザーの入力部７０に対する操作状態や撮影した画像等の各種のデーターを表示する機能を有している。
【０２０２】
Ｒ／Ｗ５０は、画像処理部３０によって符号化された画像データーのメモリーカード１０００への書込及びメモリーカード１０００に記録された画像データーの読出を行う。
【０２０３】
ＣＰＵ６０は、撮像装置１００に設けられた各回路ブロックを制御する制御処理部として機能し、入力部７０からの指示入力信号等に基づいて各回路ブロックを制御する。
【０２０４】
入力部７０は、例えば、シャッター操作を行うためのシャッターレリーズボタンや、動作モードを選択するための選択スイッチ等によって構成され、ユーザーによる操作に応じた指示入力信号をＣＰＵ６０に対して出力する。
【０２０５】
レンズ駆動制御部８０は、ＣＰＵ６０からの制御信号に基づいて撮像レンズ１１の各レンズを駆動する図示しないモータ等を制御する。
【０２０６】
メモリーカード１０００は、例えば、Ｒ／Ｗ５０に接続されたスロットに対して着脱可能な半導体メモリーである。
【０２０７】
以下に、撮像装置１００における動作を説明する。
【０２０８】
撮影の待機状態では、ＣＰＵ６０による制御の下で、カメラブロック１０において撮影された画像信号が、カメラ信号処理部２０を介して表示部４０に出力され、カメラスルー画像として表示される。また、入力部７０からのズーミングのための指示入力信号が入力されると、ＣＰＵ６０がレンズ駆動制御部８０に制御信号を出力し、レンズ駆動制御部８０の制御に基づいて撮像レンズ１１の所定のレンズが移動される。
【０２０９】
入力部７０からの指示入力信号によりカメラブロック１０の図示しないシャッターが動作されると、撮影された画像信号がカメラ信号処理部２０から画像処理部３０に出力されて圧縮符号化処理され、所定のデーターフォーマットのデジタルデーターに変換される。変換されたデーターはＲ／Ｗ５０に出力され、メモリーカード１０００に書き込まれる。
【０２１０】
フォーカシングは、例えば、入力部７０のシャッターレリーズボタンが半押しされた場合や記録（撮影）のために全押しされた場合等に、ＣＰＵ６０からの制御信号に基づいてレンズ駆動制御部８０が撮像レンズ１１の所定のレンズを移動させることにより行われる。
【０２１１】
メモリーカード１０００に記録された画像データーを再生する場合には、入力部７０に対する操作に応じて、Ｒ／Ｗ５０によってメモリーカード１０００から所定の画像データーが読み出され、画像処理部３０によって伸張復号化処理が行われた後、再生画像信号が表示部４０に出力されて再生画像が表示される。
【０２１２】
［その他］
本技術撮像レンズ及び本技術撮像装置においては、第１レンズ群及び第２レンズ群に加えて屈折力を有さないレンズや開口絞り等の他の光学要素が配置されていてもよい。この場合において、本技術撮像レンズのレンズ構成は第１レンズ群及び第２レンズ群の実質的に２群のレンズ構成にされている。
【０２１３】
［本技術］
本技術は、以下の構成にすることもできる。
【０２１４】
＜１＞
正の屈折力を有する第１レンズ群と開口絞りと正の屈折力を有する第２レンズ群とが物体側より像側へ順に配置されて構成され、
被写体距離が無限遠から近接に変化する際に、前記第１レンズ群と前記第２レンズ群は両者の光軸上の間隔が一定の状態で像側から物体側へ移動され、
前記第２レンズ群は少なくとも２枚の負レンズと少なくとも３枚の正レンズとによって構成され、
以下の条件式（１）を満足する
撮像レンズ。
（１）０．０１＜ｆ２／ｆ１＜０．２３
但し、
ｆ１：無限遠合焦時の第１レンズ群の焦点距離
ｆ２：無限遠合焦時の第２レンズ群の焦点距離
とする。
【０２１５】
＜２＞
前記第２レンズ群は、物体側から像側へ順に配置された負の屈折力を有する接合レンズである物体側レンズ群と正の屈折力を有する像側レンズ群とによって構成されている
前記＜１＞に記載の撮像レンズ。
【０２１６】
＜３＞
前記物体側レンズ群は、物体側から像側へ順に配置された負レンズと正レンズによって構成されている
前記＜２＞に記載の撮像レンズ。
【０２１７】
＜４＞
前記像側レンズ群は、２枚の正レンズと１枚の負レンズとによって構成されている
前記＜２＞又は前記＜３＞の何れかに記載の撮像レンズ。
【０２１８】
＜５＞
以下の条件式（２）を満足する
前記＜２＞から前記＜４＞の何れかに記載の撮像レンズ。
（２）−６．０＜ｆ２Ｆ／ｆ２＜−１．０
但し、
ｆ２Ｆ：無限遠合焦時の物体側レンズ群の焦点距離
とする。
【０２１９】
＜６＞
前記第２レンズ群に少なくとも１枚の非球面レンズが含まれている
前記＜１＞から前記＜５＞の何れかに記載の撮像レンズ。
【０２２０】
＜７＞
正の屈折力を有する第１レンズ群と開口絞りと正の屈折力を有する第２レンズ群とが物体側より像側へ順に配置されて構成され、
被写体距離が無限遠から近接に変化する際に、前記第１レンズ群と前記第２レンズ群は両者の光軸上の間隔が一定の状態で像側から物体側へ移動され、
前記第２レンズ群は、物体側から像側へ順に配置された負の屈折力を有する接合レンズである物体側レンズ群と正の屈折力を有する像側レンズ群とによって構成され、
前記像側レンズ群は、２枚の正レンズと１枚の負レンズとによって構成されている
撮像レンズ。
【０２２１】
＜８＞
撮像レンズと前記撮像レンズによって形成された光学像を電気的信号に変換する撮像素子とを備え、
前記撮像レンズは、
正の屈折力を有する第１レンズ群と開口絞りと正の屈折力を有する第２レンズ群とが物体側より像側へ順に配置されて構成され、
被写体距離が無限遠から近接に変化する際に、前記第１レンズ群と前記第２レンズ群は両者の光軸上の間隔が一定の状態で像側から物体側へ移動され、
前記第２レンズ群は少なくとも２枚の負レンズと少なくとも３枚の正レンズとによって構成され、
以下の条件式（１）を満足する
撮像装置。
（１）０．０１＜ｆ２／ｆ１＜０．２３
但し、
ｆ１：無限遠合焦時の第１レンズ群の焦点距離
ｆ２：無限遠合焦時の第２レンズ群の焦点距離
とする。
【０２２２】
＜９＞
撮像レンズと前記撮像レンズによって形成された光学像を電気的信号に変換する撮像素子とを備え、
前記撮像レンズは、
正の屈折力を有する第１レンズ群と開口絞りと正の屈折力を有する第２レンズ群とが物体側より像側へ順に配置されて構成され、
被写体距離が無限遠から近接に変化する際に、前記第１レンズ群と前記第２レンズ群は両者の光軸上の間隔が一定の状態で像側から物体側へ移動され、
前記第２レンズ群は、物体側から像側へ順に配置された負の屈折力を有する接合レンズである物体側レンズ群と正の屈折力を有する像側レンズ群とによって構成され、
前記像側レンズ群は、２枚の正レンズと１枚の負レンズによって構成されている
撮像装置。
【０２２３】
上記した各実施の形態において示した各部の形状及び数値は、何れも本技術を実施するための具体化のほんの一例に過ぎず、これらによって本技術の技術的範囲が限定的に解釈されることがあってはならないものである。
【図面の簡単な説明】
【０２２４】
【図１】図２乃至図１３と共に本技術撮像レンズ及び撮像装置を実施するための最良の形態を示すものであり、本図は、撮像レンズの第１の実施の形態のレンズ構成を示す図である。
【図２】第１の実施の形態に具体的な数値を適用した数値実施例の球面収差、非点収差、歪曲収差及び横収差を示す図である。
【図３】撮像レンズの第２の実施の形態のレンズ構成を示す図である。
【図４】第２の実施の形態に具体的な数値を適用した数値実施例の球面収差、非点収差、歪曲収差及び横収差を示す図である。
【図５】撮像レンズの第３の実施の形態のレンズ構成を示す図である。
【図６】第３の実施の形態に具体的な数値を適用した数値実施例の球面収差、非点収差、歪曲収差及び横収差を示す図である。
【図７】撮像レンズの第４の実施の形態のレンズ構成を示す図である。
【図８】第４の実施の形態に具体的な数値を適用した数値実施例の球面収差、非点収差、歪曲収差及び横収差を示す図である。
【図９】撮像レンズの第５の実施の形態のレンズ構成を示す図である。
【図１０】第５の実施の形態に具体的な数値を適用した数値実施例の球面収差、非点収差、歪曲収差及び横収差を示す図である。
【図１１】撮像レンズの第６の実施の形態のレンズ構成を示す図である。
【図１２】第６の実施の形態に具体的な数値を適用した数値実施例の球面収差、非点収差、歪曲収差及び横収差を示す図である。
【図１３】撮像装置の一例を示すブロック図である。
【符号の説明】
【０２２５】
１…撮像レンズ、２…撮像レンズ、３…撮像レンズ、４…撮像レンズ、５…撮像レンズ、６…撮像レンズ、Ｇ１…第１レンズ群、Ｇ２…第２レンズ群、Ｇ２Ｆ…物体側レンズ群、Ｇ２Ｒ…像側レンズ群、Ｓ…開口絞り、１００…撮像装置、１１…撮像レンズ、１２…撮像素子
【図１】
2014074742.tif 000023
【図２】
2014074742.tif 000024
【図３】
2014074742.tif 000025
【図４】
2014074742.tif 000026
【図５】
2014074742.tif 000027
【図６】
2014074742.tif 000028
【図７】
2014074742.tif 000029
【図８】
2014074742.tif 000030
【図９】
2014074742.tif 000031
【図１０】
2014074742.tif 000032
【図１１】
2014074742.tif 000033
【図１２】
2014074742.tif 000034
【図１３】
2014074742.tif 000035